(57)【要約】      （修正有）【課題】洗浄体が洗浄液に浮いてしまうことを確実に防止して、洗浄体を容器本体に嵌合させる非常に煩わしい作業を廃止するとともに、メイクブラシの洗浄を円滑に行えるメイクブラシ洗浄容器を提供する。【解決手段】メイクブラシ洗浄容器１は、洗浄液を貯留する容器本体２と、容器本体の底部２０に平面視で略一致する形状に形成され、針状に突出する複数の突起部３１，３２１〜３２３を有する洗浄体３とを備える。洗浄体を、メイクブラシの洗浄時に容器本体の底部に沈下状態に保持されるように洗浄液よりも比重が大きい材質により形成する。各突起部３１は、洗浄体の表面側よりそれぞれ同一長さで突出する丈が長く太い複数の長丈突起部からなる。一方、突起部３２１〜３２３は、洗浄体の裏面側より３種の異なる長さで突出し、各突起部３１よりも丈が短く細い３種の複数の短丈突起部からなる。【選択図】図７
0003218407.tif 000002
【実用新案登録請求の範囲】
【請求項１】
メイクブラシを洗浄する洗浄液を貯留する容器本体と、
前記容器本体の底部に平面視で略一致する形状に形成され、針状に突出する複数の突起部を有する洗浄体とを備え、
前記洗浄体は、前記メイクブラシの洗浄時に前記容器本体の底部に沈下状態に保持されるように前記洗浄液よりも比重が大きい材質により形成され、
前記各突起部は、前記メイクブラシの洗浄時に当該メイクブラシの毛を擦りつけて洗浄するものであることを特徴とするメイクブラシ洗浄容器。
【請求項２】
前記洗浄体には、前記容器本体の底部に対し当該容器本体の周壁の１つの側壁部に立て掛けた傾斜状態で載置した際に当該側壁部の上縁に係止する係止片が設けられている一方、
前記容器本体の底部には、前記１つの側壁部に対する前記洗浄体の傾斜角度のズレを規制する規制手段が設けられている請求項１に記載のメイクブラシ洗浄容器。
【請求項３】
前記各突起部は、
前記洗浄体の表面側よりそれぞれ同一長さで突出する丈が長く太い複数の長丈突起部と、
前記洗浄体の裏面側よりそれぞれ同一長さで突出し、前記各長丈突起部よりも丈が短く細い複数の短丈突起部と、
を備えている請求項１又は請求項２に記載のメイクブラシ洗浄容器。
【請求項４】
前記洗浄体は、前記容器本体の底部に載置した際に当該底部の平面形状と近似する形状に形成されているとともに、その一部を切り欠いた切欠部を備え、
前記切欠部は、前記容器本体の底部に載置した前記洗浄体を持ち上げる際に指を縁に引っかけ可能な形状に形成されている請求項１〜請求項３のいずれか１つに記載のメイクブラシ洗浄容器。
【請求項５】
前記容器本体の上方に開口する開口部を覆う蓋本体と、この蓋本体の周囲より屈曲して設けられ、前記容器本体の開口部周縁の外側に嵌合する縁部とを有する蓋体を備え、
前記蓋本体には、前記容器本体に対し表裏反転させた状態で当該容器本体の開口部周縁の内側に嵌合する嵌合部が設けられているとともに、前記メイクブラシの洗浄後に複数のメイクブラシをそれぞれの柄の挿通により立て掛けた状態で乾燥させるように当該各メイクブラシの柄の太さに応じて互いに径の異なる複数の挿通孔が設けられており、
前記縁部の一部の先端には、前記係止片による前記洗浄体の係止が可能とされている一方、前記縁部の残り部の先端には、パフを立て掛けた状態で乾燥させるように延長された延長片が設けられている請求項１〜請求項４のいずれか１つに記載のメイクブラシ洗浄容器。
【考案の詳細な説明】
【技術分野】
【０００１】
本考案は、メイクで使用したメイクブラシを洗浄する際に用いられるメイクブラシ洗浄容器に関する。
【背景技術】
【０００２】
従来より、メイクブラシ洗浄容器として、メイクブラシを洗浄する洗浄液を貯留する容器本体と、この容器本体の底部に載置され、針状に突出する複数の突起部を有する洗浄体とを備えたものは知られている（特許文献１参照）。洗浄体は、洗浄液よりも比重が小さくなる材質により形成されている。また、容器本体の底部には、洗浄体の下面に設けられた係合片に対し嵌合する嵌合部が設けられ、洗浄体の係合片を容器本体の嵌合部に嵌合させることで、洗浄体を容器本体の底部に保持するようにしている。そして、各突起部は、メイクブラシの洗浄時に当該メイクブラシを擦って洗浄するものとされている。
【先行技術文献】
【特許文献】
【０００３】
【特許文献１】実用新案登録第３２１４０５０号
【考案の概要】
【考案が解決しようとする課題】
【０００４】
ところが、前記従来のメイクブラシ洗浄容器では、洗浄体が洗浄液よりも比重が小さいため、洗浄体が洗浄液に浮いてしまう。このため、メイクブラシを洗浄する際には洗浄体を容器本体の底部に沈下させておかなければならず、洗浄体の係合片を容器本体の嵌合部に嵌合させる作業が非常に煩わしいものとなる。その上、メイクブラシの洗浄時に洗浄体に過分な力が掛かると、係合片が容器本体の嵌合部から離脱して洗浄体が浮いてしまうおそれもあり、メイクブラシの円滑な洗浄が懸念される。
【０００５】
本考案は、かかる点に鑑みてなされたものであり、その目的とするところは、洗浄体が洗浄液に浮いてしまうことを確実に防止して、洗浄体を容器本体に嵌合させる非常に煩わしい作業を廃止することできるとともに、メイクブラシの洗浄を円滑に行うことができるメイクブラシ洗浄容器を提供することにある。
【課題を解決するための手段】
【０００６】
前記目的を達成するため、本考案では、メイクブラシ洗浄容器として、メイクブラシを洗浄する洗浄液を貯留する容器本体と、前記容器本体の底部に平面視で略一致する形状に形成され、針状に突出する複数の突起部を有する洗浄体とを備える。そして、前記洗浄体を、前記メイクブラシの洗浄時に前記容器本体の底部に沈下状態に保持されるように前記洗浄液よりも比重が大きい材質により形成する。更に、前記各突起部は、前記メイクブラシの洗浄時に当該メイクブラシの毛を擦りつけて洗浄するものであることを特徴としている。
【０００７】
また、前記洗浄体に、前記容器本体の底部に対し当該容器本体の周壁の１つの側壁部に立て掛けた傾斜状態で載置した際に当該側壁部の上縁に係止する係止片を設ける。一方、前記容器本体の底部に、前記１つの側壁部に対する前記洗浄体の傾斜角度のズレを規制する規制手段を設けていてもよい。
【０００８】
また、前記各突起部に、前記洗浄体の表面側よりそれぞれ同一長さで突出する丈が長く太い複数の長丈突起部と、前記洗浄体の裏面側よりそれぞれ同一長さで突出し、前記各長丈突起部よりも丈が短く細い複数の短丈突起部と、を設けていてもよい。
【０００９】
また、前記洗浄体は、前記容器本体の底部に載置した際に当該底部の平面形状と近似する形状に形成されているとともに、その一部を切り欠いた切欠部を備えている。そして、前記切欠部を、前記容器本体の底部に載置した前記洗浄体を持ち上げる際に指を縁に引っかけ可能な形状に形成していてもよい。
【００１０】
更に、前記容器本体の上方に開口する開口部を覆う蓋本体と、この蓋本体の周囲より屈曲して設けられ、前記容器本体の開口部周縁の外側に嵌合する縁部とを有する蓋体を備える。そして、前記蓋本体に、前記容器本体に対し表裏反転させた状態で当該容器本体の開口部周縁の内側に嵌合する嵌合部を設けるとともに、前記メイクブラシの洗浄後に複数のメイクブラシをそれぞれの柄の挿通により立て掛けた状態で乾燥させるように当該各メイクブラシの柄の太さに応じて互いに径の異なる複数の挿通孔を設ける。更に、前記縁部の一部の先端に、前記係止片による前記洗浄体の係止を可能とする一方、前記縁部の残り部の先端に、パフを立て掛けた状態で乾燥させるように延長された延長片を設けていてもよい。
【考案の効果】
【００１１】
以上、要するに、複数の突起部を有する洗浄体を洗浄液よりも比重が大きい材質により形成し、メイクブラシの洗浄時に容器本体の底部に沈下状態に保持することで、洗浄体が洗浄液に浮いてしまうことを確実に防止している。これにより、メイクブラシを洗浄する際に洗浄体を容器本体の底部に沈下させておく上で、洗浄体の係合片を容器本体の嵌合部に嵌合させるといった煩わしい作業を廃止することができる。しかも、メイクブラシの洗浄時に洗浄体に過分な力が掛かっても、洗浄体が不慮に浮くこともなく、メイクブラシの洗浄を円滑に行うことができる。
【００１２】
また、洗浄体に、容器本体の底部に対し当該容器本体の周壁の１つの側壁部に立て掛けた傾斜状態で載置した際に当該側壁部の上縁に係止する係止片を設ける一方、容器本体の底部に、側壁部に対する洗浄体の傾斜角度のズレを規制する規制手段を設けることで、傾斜状態で載置した洗浄体の各突起部に対しメイクブラシの毛を擦りつけて洗浄しても、洗浄体の傾斜角度のズレが規制され、特に歯ブラシ型のメイクブラシの洗浄を円滑に行うことができる。
【００１３】
また、洗浄体の表面側よりそれぞれ同一長さで突出する丈が長く太い複数の長丈突起部と、洗浄体の裏面側よりそれぞれ同一長さで突出し、各長丈突起部よりも丈が短く細い複数の短丈突起部とを設けることで、メイクブラシの毛の長さに応じて洗浄体の表裏両面を使い分けることが可能となり、毛の長さが異なるメイクブラシの洗浄を効率よく行うことができる。
【００１４】
また、洗浄体の一部に、容器本体の底部の平面形状と近似する形状から切り欠いた切欠部を設け、この切欠部を、容器本体の底部に載置した洗浄体を持ち上げる際に指を縁に引っかけ可能な形状に形成することで、メイクブラシの洗浄を終えて容器本体の底部から洗浄体を持ち上げる際に切欠部の縁に指を引っかけるだけで、メイクブラシの洗浄時に容器本体の底部に沈下している洗浄体を簡単に持ち上げることができる。
【００１５】
更に、容器本体の開口部周縁に対し蓋体を表裏反転させた状態で蓋本体の嵌合部を嵌合させ、蓋本体の互いに径の異なる複数の挿通孔にそれぞれの柄の太さに応じて挿通させたメイクブラシを立て掛けた状態で乾燥させるとともに、縁部の一部の先端に洗浄体を係止片により係止する一方、縁部の残り部の先端より延長した延長片にパフを立て掛けた状態で乾燥させることで、メイクブラシの洗浄後に柄の太さが異なる複数のメイクブラシ、洗浄体及びパフを全て乾燥させることができる。
【図面の簡単な説明】
【００１６】
【図１】本考案の実施の形態に係るメイクブラシ洗浄容器の斜視図である。
【図２】図１のメイクブラシ洗浄容器の平面図である。
【図３】図１のメイクブラシ洗浄容器の正面図である。
【図４】図１のメイクブラシ洗浄容器の右側面図である。
【図５】図１のメイクブラシ洗浄容器の左側面図である。
【図６】図１のメイクブラシ洗浄容器の底面図である。
【図７】図２のＡ−Ａ線における断面図である。
【図８】図３のＢ−Ｂ線における断面図である。
【図９】図２のメイクブラシ洗浄容器の蓋体及び洗浄体を取り外した状態での容器本体の平面図である。
【図１０】図９のＣ−Ｃ線における断面図である。
【図１１】図２のメイクブラシ洗浄容器の洗浄体の斜視図である。
【図１２】図１１の洗浄体の平面図である。
【図１３】図１１の洗浄体の正面図である。
【図１４】図１１の洗浄体の右側面図である。
【図１５】図１１の洗浄体の底面図である。
【図１６】図１２のＤ−Ｄ線における断面図である。
【図１７】図１０の容器本体の一側壁に立て掛けた傾斜状態で容器本体の底部に載置した洗浄体を示す断面図である。
【図１８】図２のメイクブラシ洗浄容器の蓋体の平面図である。
【図１９】図１８のＥ−Ｅ線における断面図である。
【図２０】図１３の容器本体の開口部周縁に対し蓋体を表裏反転させた状態で縁部に係止して干している洗浄体を示す斜視図である。
【図２１】図２０の表裏反転させた蓋体の縁部に洗浄体を係止した状態を示すメイクブラシ洗浄容器の平面図である。
【図２２】図２１のＦ−Ｆ線における断面図である。
【図２３】図２２の洗浄体の係止片付近の拡大図である。
【図２４】図２０の洗浄体に加えて洗浄を終えた各種メイクブラシ、チップ、パフ、及び立体パフなどを干している状態を示すメイクブラシ洗浄容器の斜視図である。
【図２５】図２０のメイクブラシ洗浄容器の上に容器本体を載置した連設状態を示す縦断正面図である。
【図２６】図２５のメイクブラシ洗浄容器の上に容器本体を載置した連設状態を平面視で示す説明図である。
【考案を実施するための形態】
【００１７】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００１８】
図１は本考案の実施の形態に係るメイクブラシ洗浄容器の斜視図、図２は図１のメイクブラシ洗浄容器の平面図、図３は図１のメイクブラシ洗浄容器の正面図をそれぞれ示している。また、図４は図１のメイクブラシ洗浄容器の右側面図、図５は図１のメイクブラシ洗浄容器の左側面図、図６は図１のメイクブラシ洗浄容器の底面図をそれぞれ示している。更に、図７は図２のＡ−Ａ線における断面図、図８は図３のＢ−Ｂ線における断面図をそれぞれ示している。
【００１９】
図１〜図８に示すように、メイクブラシ洗浄容器１は、平面視で略矩形状を呈する有底四角筒形状の容器本体２と、この容器本体２の底部２０に載置される洗浄体３と、容器本体２の上方に開口する開口部２１を閉塞する蓋体４と、を備えている。
【００２０】
図９は図２のメイクブラシ洗浄容器１の蓋体４及び洗浄体３を取り外した状態での容器本体２の平面図、図１０は図９のＣ−Ｃ線における断面図をそれぞれ示している。この図９及び図１０にも示すように、容器本体２は、後述する各種メイクブラシ６１〜６７を使用後に洗浄する洗浄液を貯留するために供される。また、容器本体２は、底部２０の周囲より起立する周壁２２を備えている。この周壁２２は、底部２０の４辺よりそれぞれ起立する４つの側壁部２３，２３，…と、各側壁部２３のうちの互いに周方向で相隣なる側壁部２３，２３同士を一体的に連結する略四分の一円弧状の４つの湾曲壁２４，２４，…とを備えている。この容器本体２（各側壁部２３及び各湾曲壁２４）は、ポリプロピレンなどの合成樹脂により一体成形されている。
【００２１】
また、容器本体２の底部２０の裏面の４つの角部付近には、略四分の一円弧状の脚部２５，２５，…が突設されている。
【００２２】
図１１は図２のメイクブラシ洗浄容器１の洗浄体３の斜視図、図１２は図１１の洗浄体３の平面図、図１３は図１１の洗浄体３の正面図をそれぞれ示している。また、図１４は図１１の洗浄体３右側面図、図１５は図１１の洗浄体３の底面図、図１６は図１２のＥ−Ｅ線における断面図をそれぞれ示している。
【００２３】
図１１〜図１６にも示すように、洗浄体３は、容器本体２の底部２０と平面視で近似する略矩形状の基板３０を備えている。また、洗浄体３は、その基板３０の表裏両面にそれぞれ針状に突出する複数の突起部３１，３２１，３２２，３２３を備えている。基板３０の表面側の各突起部３１は、洗浄体３の表面側よりそれぞれ同一長さで突出する丈が長く太い複数の長丈突起部よりなる。
【００２４】
一方、基板３０の裏面側の各突起部３２１は、洗浄体３の裏面側の中心部付近よりそれぞれ同一長さで突出し、基板３０の表面側の各突起部３１（各長丈突起部）よりも丈が短く細い複数の第１短丈突起部（短丈突起部）よりなる。基板３０の裏面側の各突起部３２２は、洗浄体３の裏面側の外周部付近よりそれぞれ同一長さで突出し、各突起部３２１（第１短丈突起部）よりも若干丈が短く細い複数の第２短丈突起部よりなる。基板３０の裏面側の各突起部３２３は、洗浄体３の裏面側の外周部の係止片３５付近よりそれぞれ同一長さで突出し、各突起部３２２（第２短丈突起部）よりも若干丈が短く細い複数の第３短丈突起部よりなる。そして、各突起部３１，３２１，３２２，３２３は、各種メイクブラシ６１〜６７の洗浄時に当該各種メイクブラシ６１〜６７の毛を擦りつけて洗浄するものであって、基板３０の表裏を変更して、各種メイクブラシ６１〜６７の毛の長さなどに応じて各突起部３１（又は３２１，３２２，３２３）が選択されるようにしている。
【００２５】
洗浄液としては、アミノ酸系や石鹸系の洗浄剤を水に対し僅かに添加したものが適用されている。また、洗浄体３は、洗浄液よりも比重が大きい材質、具体的にはアクリロ二トリル・スチレンにより形成され、各種メイクブラシ６１〜６７の洗浄時に容器本体２の底部２０に沈下状態に保持されるようにしている。この場合、洗浄液の比重は、洗浄剤が添加程度の僅かな量であって水が主成分となるため、１ｇ／ｃｍ3に可及的に近い１ｇ／ｃｍ3未満の値であるのに対し、アクリロ二トリル・スチレンの比重は、１．０７５〜１．１０ｇ／ｃｍ3である。
【００２６】
図１７は図１０の容器本体２の側壁部２３に立て掛けた傾斜状態で容器本体２の底部２０に載置した洗浄体３を示す断面図を示している。この図１７にも示すように、基板３０の裏面には、その４辺のうちの一辺の周方向中央位置より突出したのちに内方へ折曲する略Ｌ字状の係止片３５が設けられている。この係止片３５は、洗浄体３を容器本体２の底部２０に対し当該容器本体２の周壁２２の１つの側壁部２３に立て掛けた傾斜状態で載置した際に当該側壁部２３の上縁に係止される。
【００２７】
更に、容器本体２の底部２０には、容器本体２の周壁２２の１つの側壁部２３（図１７では右側の側壁部２３）に対し立て掛けた傾斜状態で載置した際の当該側壁部２３に対する洗浄体３の傾斜角度のズレを規制する規制手段５が設けられている。この規制手段５は、容器本体２の底部２０に設けられ、底部２０の４辺のうちの互いに向き合う２辺の周方向中央位置と中心部との間を当該両端に対し隙間を存して直線状に延びる４本の突条５１，５１，…を備えている。そして、容器本体２の周壁２２の１つの側壁部２３に対し立て掛けた傾斜状態で載置した洗浄体３の下端が突条５１の中心側端に当接することで、側壁部２３に対する洗浄体３の傾斜角度のズレを規制している。
【００２８】
また、基板３０の裏面の４つの角部付近には、係止片３５と略一致する突出量に設定された突起３６，３６，…が突設されている。係止片３５による突出高さと各突起３６の突出量とは、互いに揃えられ、これによって基板３０の裏面を底部２０側に向けて載置した際の洗浄体３のがたつきを防止している。更に、洗浄体３の基板３０には、４つの角部のうちの一部としての１つの角部を切り欠いた切欠部３４が設けられている。
【００２９】
切欠部３４は、容器本体２の底部２０に載置した洗浄体３を持ち上げる際に指を縁に引っかけ可能な略四分の一円弧状に形成されている。そして、洗浄体３は、基板３０の表裏両面の各突起部３１，３２１〜３２３によって容器本体２の底部２０に対し離間しているため、切欠部３４の縁に指が引っかけ易くなっている。このとき、基板３０の表面を底部２０側に向けて載置した際には、その表面側の各突起部３１（各長丈突起部）により底部２０に対する離間量が十分に稼げている。一方、基板３０の裏面を底部２０側に向けて載置した際には、裏面側の各突起部３２１〜３２３（各短丈突起部）では底部２０に対する離間量が十分に稼げていないものの、係止片３５及び各突起３６の突出量により底部２０に対する離間量が十分に稼げるようにしている。
【００３０】
また、洗浄体３の基板３０の外周寄りには、表裏方向に貫通する貫通孔３７，３７，…が設けられている。各貫通孔３７は、基板３０の周方向８箇所に等間隔置きに設けられ、それぞれ基板３０の中心より放射状に延びている。この各貫通孔３７は、容器本体２内に洗浄液を貯留した状態で洗浄体３を沈めた際に基板３０の下面（表面又は裏面）に付着した空気を逃がすためのものであって、各種メイクブラシ６１〜６７の洗浄時に洗浄体３を容器本体２の底部２０に沈下状態に保持する上で切欠部３４と相俟って必要とされる。
【００３１】
図１８は図２のメイクブラシ洗浄容器１の蓋体４の平面図、図１９は図１８のＥ−Ｅ線における断面図をそれぞれ示している。この図１８及び図１９にも示すように、蓋体４は、容器本体２の開口部２１を上方から覆う略矩形状の蓋本体４０と、この蓋本体４０の周囲より下方へ屈曲して設けられ、容器本体２の開口部２１の周縁に対し側方から覆う縁部４１とを備えている。
【００３２】
図２０は図１３の容器本体２０の開口部２１周縁に対し蓋体４を表裏反転させた状態で縁部４１に係止して干している洗浄体３を示す斜視図、図２１は図２０の表裏反転させた蓋体４の縁部４１に洗浄体３を係止した状態を示すメイクブラシ洗浄容器１の平面図をそれぞれ示している。また、図２２は図２１のＦ−Ｆ線における断面図、図２３は図２２の洗浄体３の係止片３５付近の拡大図をそれぞれ示している。
【００３３】
図２０〜図２３にも示すように、蓋本体４０には、容器本体２に対し表裏反転させた状態で当該容器本体２の開口部２１周縁に嵌合する環状の嵌合部４２が設けられている。この嵌合部４２は、縁部４１よりも蓋本体４０の内側において上方へ突設され、蓋本体４０の周囲に対し段差状に形成されている。蓋体４（蓋本体４０及び縁部４１）は、アクリロ二トリル・スチレンなどの合成樹脂により一体成形されている。また、縁部４１の４辺のうちの一部としての互いに向き合う２辺の先端には、係止片３５によって洗浄体３が選択的に係止可能とされている。
【００３４】
また、蓋本体４０には、略真円形状の７つの挿通孔４３１〜４３７が設けられている。各挿通孔４３１〜４３７は、それぞれ異なる径に設定され、大きい順に２８ｍｍ、２５ｍｍ、２１ｍｍ、１３ｍｍ、１０ｍｍ、９ｍｍ、７ｍｍとなっている。これは、各種メイクブラシ６１〜６６（図では６つのみ示す）に応じての径の異なる柄を挿通可能とするためであって、容器本体２に対し表裏反転させた状態で当該容器本体２の開口部２１周縁に嵌合部４２を嵌合させた蓋本体４０の挿通孔４３１〜４３７に各種メイクブラシ６１〜６６をそれぞれ柄の挿通により立て掛けた状態で乾燥させるようにしている。各種メイクブラシ６１〜６６としては、５種類のメイクブラシ６１〜６５と、１種類の立体パフ６６とが適用されている。また、径の大きい順に並べた各挿通孔４３１〜４３７は、それぞれ蓋本体４０の裏面から均一に突出する円筒状フランジ部４４１〜４４７を備えている。
【００３５】
図２４は図２０の洗浄体３に加えて洗浄を終えた５種類のメイクブラシ６１〜６５、チップ６７、パフ６８、及び立体パフ６６などを干している状態を示すメイクブラシ洗浄容器１の斜視図を示している。蓋体４の縁部４１の４辺のうちの残り部としての１辺の先端には、洗浄したパフ６８を立て掛けた状態で乾燥させるように略円弧状に延長された延長片４５が設けられている。更に、縁部４１の４辺のうちの残り部としての残る１辺の先端には、メイクブラシとしてのチップ６８，６８の柄を挿通可能とするスリット４６，４６，４６を備えた突出片４７が突設けられている。この各スリット４６は、洗浄したチップ６７，６７の柄を挿通して乾燥させるようにしている。
【００３６】
図２５は図２０のメイクブラシ洗浄容器１の上に容器本体２を載置した連設状態を示す縦断正面図、図２６は図２５のメイクブラシ洗浄容器１の上に容器本体２を載置した連設状態を平面視で示す説明図をそれぞれ示している。この図２５及び図２６に示すように、容器本体２の底部２０の各脚部２５は、メイクブラシ洗浄容器１の上に容器本体２を載置した連設状態にあるときに、蓋体４の蓋本体４０の４つの角部に位置する各挿通孔４３１〜４３４内にそれぞれ挿通されて蓋体４と容器本体２とが位置決めされた状態で保持することが可能となっている。
【００３７】
したがって、本実施の形態では、複数の突起部３１，３２１〜３２３を有する洗浄体３を洗浄液よりも比重が大きいアクリロ二トリル・スチレンにより形成する。このとき、洗浄液の比重は、洗浄剤が添加程度の僅かな量であって水が主成分となるため、１ｇ／ｃｍ3に可及的に近い１ｇ／ｃｍ3未満の値であるのに対し、アクリロ二トリル・スチレンの比重は、１．０７５〜１．１０ｇ／ｃｍ3となる。このため、各種メイクブラシ６１〜６７（５種類のメイクブラシ６１〜６５、１種類の立体パフ６６及びチップ６７）の洗浄時に洗浄体３が容器本体２の底部２０に沈下状態に保持されることになり、洗浄体３が洗浄液に浮いてしまうことを確実に防止している。これにより、各種メイクブラシ６１〜６７を洗浄する際に洗浄体３を容器本体２の底部２０に沈下させておく上で、洗浄体の係合片を容器本体の嵌合部に嵌合させるといった煩わしい作業を廃止することができる。しかも、各種メイクブラシ６１〜６７の洗浄時に洗浄体３に過分な力が掛かっても、洗浄体３が不慮に浮くこともなく、各種メイクブラシ６１〜６７の洗浄を円滑に行うことができる。
【００３８】
また、洗浄体３に、容器本体２の底部２０に対し当該容器本体２の周壁２２の１つの側壁部２３に立て掛けた傾斜状態で載置した際に当該側壁部２３の上縁に係止する係止片３５が設けられている一方、容器本体２の底部２０に、前記１つの側壁部２３に対する洗浄体３の傾斜角度のズレを規制する規制手段５が設けられ、洗浄体３の下端が規制手段５の突条５１の中心側端に当接して側壁部２３に対する洗浄体３の傾斜角度のズレを規制している。これにより、傾斜状態で載置した洗浄体３の各突起部３１（又は各突起部３２１〜３２３）に対し各種メイクブラシ６１〜６７の毛を擦りつけて洗浄しても、洗浄体３の傾斜角度のズレが規制され、特に歯ブラシ型のメイクブラシの洗浄を円滑に行うことができる。
【００３９】
また、洗浄体３の表面側の各突起部３１がそれぞれ同一長さで突出する丈が長く太い複数の長丈突起部よりなる一方、裏面側の各突起部３２１〜３２３が基板３０の表面側の各突起部３１（各長丈突起部）よりも丈が短く細いものとされている。具体的には、裏面側の中心部付近よりそれぞれ同一長さで突出する第１短丈突起部（短丈突起部）よりなる複数の突起部３２１と、裏面側の外周部付近よりそれぞれ同一長さで突出し、各突起部３２１（第１短丈突起部）よりも若干丈が短く細い第２短丈突起部よりなる複数の突起部３２２と、裏面側の外周部の係止片３５付近よりそれぞれ同一長さで突出し、各突起部３２２（第２短丈突起部）よりも若干丈が短く細い第３短丈突起部よりなる複数の突起部３２３とを備えている。これにより、メイクブラシの毛の長さに応じて洗浄体３の表裏両面を使い分け、特に裏面では場所に応じて使い分けることも可能となり、毛の長さが異なる各種メイクブラシ６１〜６７の洗浄を効率よく行うことができる。
【００４０】
また、洗浄体３の基板３０の４つの角部のうちの１つの角部を切り欠いた切欠部３４は、容器本体２の底部２０に載置した洗浄体３を持ち上げる際に指を縁に引っかけ可能な略四分の一円弧状に形成されているので、各種メイクブラシ６１〜６７の洗浄を終えて容器本体２の底部２０から洗浄体３を持ち上げる際に切欠部３４の縁に指を引っかけるだけで、各種メイクブラシ６１〜６７の洗浄時に容器本体２の底部２０に沈下している洗浄体３を簡単に持ち上げることができる。
【００４１】
更に、容器本体２の開口部２１周縁に対し蓋体４を表裏反転させた状態で蓋本体４０の嵌合部４２を嵌合させ、蓋本体４０の互いに径の異なる７つの挿通孔４３１〜４３７にそれぞれの柄の太さに応じて挿通させた各種メイクブラシ６１〜６６を立て掛けた状態で乾燥させるとともに、縁部４１の４辺のうちの互いに向き合う２辺の先端に対し係止片３５による洗浄体３の係止が選択的に可能とされている一方、蓋体４の縁部４１の４辺のうちの残る１辺の先端より略円弧状に延長した延長片４５にパフ６８を立て掛けた状態で乾燥させるとともに、縁部４１の４辺のうちの残る１辺の先端に突設した突出片４７の各スリット４６に各チップ６７の柄を挿通して乾燥させるようにしている。これにより、各種メイクブラシ６１〜６７の洗浄後に柄の太さが異なる当該各メイクブラシ６１〜６７、洗浄体３及びパフ６８などを全て乾燥させることができる。
【００４２】
なお、本考案は前記実施の形態に限定されるものではなくその他種々の変形例を包含している。例えば、前記実施の形態では、洗浄体３をアクリロ二トリル・スチレンにより形成したが、ポリ塩化ビニル、アクリル、ポリエチレンテレフタレート、ポリビニルアルコールなどの合成樹脂により形成されていてもよく、要するに、洗浄液の比重よりも大きな比重となる合成樹脂により洗浄体が形成されていればよい。
【符号の説明】
【００４３】
１          メイクブラシ洗浄容器
２          容器本体
２０        底部
２１        開口部
２２        周壁
２３        側壁部
３          洗浄体
３１        突起部（長丈突起部）
３２１，３２２，３２３
突起部（短丈突起部）
３４        切欠部
３５        係止片
４          蓋体
４０        蓋本体
４１        縁部
４２        嵌合部
４３１〜４３７
挿通孔
５          規制手段
６１〜６７  メイクブラシ
６８        パフ
【図１】
0003218407.tif 000003
【図２】
0003218407.tif 000004
【図３】
0003218407.tif 000005
【図４】
0003218407.tif 000006
【図５】
0003218407.tif 000007
【図６】
0003218407.tif 000008
【図７】
0003218407.tif 000009
【図８】
0003218407.tif 000010
【図９】
0003218407.tif 000011
【図１０】
0003218407.tif 000012
【図１１】
0003218407.tif 000013
【図１２】
0003218407.tif 000014
【図１３】
0003218407.tif 000015
【図１４】
0003218407.tif 000016
【図１５】
0003218407.tif 000017
【図１６】
0003218407.tif 000018
【図１７】
0003218407.tif 000019
【図１８】
0003218407.tif 000020
【図１９】
0003218407.tif 000021
【図２０】
0003218407.tif 000022
【図２１】
0003218407.tif 000023
【図２２】
0003218407.tif 000024
【図２３】
0003218407.tif 000025
【図２４】
0003218407.tif 000026
【図２５】
0003218407.tif 000027
【図２６】
0003218407.tif 000028